(57)【要約】【課題】各事業者が拾得された遺失物を落とし主が容易に発見でき、警察が拾得された遺失物の管理を容易に行うことができるサポート業務の遺失物管理システムを提供する。【解決手段】遺失物に関する情報を管理するサーバが遺失物に関する情報をデータベースにて一元管理するとともに、警察の遺失物を管理するサーバに遺失物に関する情報を送信する。また、遺失物を保管する場所に設けられた遺失物の保管に関する情報を管理するサーバが遺失物の保管に関する情報の管理に無線タグを用いて行う。さらに、遺失物を管理するデータベースを遺失者がインターネットにより検索する装置を備える。【選択図】図１
2008027088.tif 000002
【特許請求の範囲】
【請求項１】
通信回線網を介して拾得された遺失物に関する情報を送信する登録用通信端末と、
遺失物に関する情報を格納する管理データベースと、
前記管理データベースに接続し、前記通信端末から受信した遺失物に関する情報を前記管理データベースに格納するとともに、警察のサーバに前記遺失物に関する情報を送信し、または前記遺失物に関する情報をメールにて送信する遺失物管理サーバと、
を有することを特徴とする遺失物管理システム。
【請求項２】
遺失物に付された無線タグを読み込み又は書き込む無線タグリーダライタを備え、前記無線タグから読み込んだ遺失物に固有に振られた遺失物ＩＤに基づいて通信回線網を介して前記遺失物管理サーバに問い合わせを行う返却用通信端末と、
受信した前記遺失物ＩＤに基づいて前記管理データベースを検索し、返却可否を判定する前記管理サーバと、
を有することを特徴とする請求項１に記載の遺失物管理システム。
【請求項３】
入力された遺失物に関する情報を遺失物管理サーバに送信するｗｅｂサーバと、
前記ｗｅｂサーバから受信した情報に基づいて管理データベースを検索し条件に該当する遺失物の有無を判定する前記遺失物管理サーバと、
を有することを特徴とする請求項１または請求項２に記載の遺失物管理システム。
【発明の詳細な説明】
【技術分野】
【０００１】
本発明は、拾得された遺失物の管理及び返却に係わるシステムに関するものである。
【背景技術】
【０００２】
従来は、駅や公衆に開放された施設において遺失物が拾得された場合、鉄道会社や各施設の事業主はこれらの遺失物を一定期間保管していた。これらの遺失物に関する情報は管理されていないか、管理されていても書面やホワイトボード或いは口頭によるものであり、落とし主が遺失物を探す場合多大な労力を要するという問題点があった。
【０００３】
また、拾得された遺失物は膨大な数に上るため、警察が遺失物の管理を逐一行うことは非常に困難であるという問題点があった。
【０００４】
この問題に関する従来技術として、特許文献１にＲＦＩＤと形態通信端末を利用して盗品情報を警察サーバと交換するシステムが記載されている。
【０００５】
しかし、特許文献１には専ら盗品の情報と盗品の管理方法が記載されているに止まり、拾得された遺失物に関する情報の管理に関する技術が示されておらず、上記問題を解決するものではない。
【特許文献１】特開２００６−９２１２８号公報
【発明の開示】
【発明が解決しようとする課題】
【０００６】
本発明は上記のような問題点に鑑みてなされたものであり、拾得された遺失物を落とし主が容易に発見でき、警察が拾得された遺失物の管理を容易に行うことができる遺失物管理システムを提供することを目的とする。
【課題を解決するための手段】
【０００７】
この目的を達成するために、請求項１の遺失物管理システムは、通信回線網を介して拾得された遺失物に関する情報を送信する登録用通信端末と、遺失物に関する情報を格納する管理データベースと、管理データベースに接続し、通信端末から受信した遺失物に関する情報を管理データベースに格納するとともに、警察のサーバに遺失物に関する情報を送信し、または前記遺失物に関する情報をメールにて送信する遺失物管理サーバと、を有することを特徴とする。
また、請求項２の遺失物管理システムは、請求項１に記載の遺失物管理システムであって、遺失物に付された無線タグを読み込み又は書き込む無線タグリーダライタを備え、無線タグから読み込んだ遺失物に固有に振られた遺失物ＩＤに基づいて通信回線網を介して遺失物管理サーバに問い合わせを行う返却用通信端末と、受信した前記遺失物ＩＤに基づいて管理データベースを検索し、返却可否を判定する管理サーバと、を有することを特徴とする。
【０００８】
さらに、請求項３の遺失物管理システムは請求項１または請求項２に記載の遺失物管理システムであって、入力された遺失物に関する情報を遺失物管理サーバに送信するｗｅｂサーバと、ｗｅｂサーバから受信した情報に基づいて管理データベースを検索し条件に該当する遺失物の有無を判定する前記遺失物管理サーバと、を有することを特徴とする。
【発明の効果】
【０００９】
本発明の遺失物管理システムによれば、拾得された遺失物に関する情報をデータベースにより一元管理するとともに、拾得された遺失物に関する情報を警察のサーバに送信するため、落とし主がデータベースを検索することにより紛失した所有物を発見しやすくなるとともに、警察も遺失物に関する管理を容易に行うことができる。
【発明を実施するための最良の形態】
【００１０】
本発明の遺失物管理システムの一実施形態を、図面を用いて説明する。
図１は本実施形態の遺失物管理システムの構成を表す概要図である。本実施形態の遺失物管理システムは、拾得された遺失物に関する情報を送信する登録用通信端末１０１と、遺失物に関する情報を登録しようとする者を認証する認証サーバ１０２と、認証に必要な情報を格納する認証データベース１０３（以下、データベースをＤＢと略す。）と、警察において遺失物の情報を管理する警察遺失物サーバ１０４と、通信回線網１０５と、遺失物に関する情報を格納する管理ＤＢ１０７と、管理ＤＢ１０７を検索し更新する遺失物管理サーバ１０６と、遺失物管理サーバ１０６に接続し落とし主にメールを送信するメールサーバ１０８と、管理ＤＢ１０７を検索するページをインターネットに公開するＷｅｂサーバ１０９と、落とし主が利用する端末１１０と、遺失物を返却する担当窓口において遺失物に付された無線タグを読み書きする無線タグリーダライタ１１２を備える返却用通信端末１１１と、遺失物を保管する倉庫において遺失物の搬入、搬出、保管位置などを管理する遺失物保管サーバ１１３と、無線タグリーダライタ１１５を備える保管用端末１１４と、を備える。なお、落とし主が利用する端末１１０と返却用通信端末１１１はデータの保存機能を有しないように構成することもできる。
ここで、拾得物とは拾われて届けられた物を指し、遺失物とはなくした旨を警察等に届け出た物を指すが、拾得されて警察や駅や保管倉庫などの各施設において保管されている物を指す場合がある。
【００１１】
認証ＤＢ１０３には、利用者ＩＤと、利用者パスワードと、利用者ＩＤごとに入力・閲覧・印刷の各権限の有無と、管理者IDと、管理者パスワードとが格納されている。管理ＤＢには、遺失物に固有に振られた遺失物ＩＤと、拾得日時と、拾得場所に固有に振られた拾得場所ＩＤと、拾得者氏名と、拾得者連絡先と、拾得物の名称と、拾得物の特徴と、保管庫における保管場所と、保管期限と、遺失物を返却された被返却人氏名および連絡先と、返却可否と、返却日時と、返却場所と、その他の拾得された遺失物に関する情報とを格納する。遺失物に関する情報とは例えば管理ＤＢに格納されるような遺失物にかかわる情報を指すが、これらに限られるものではない。
【００１２】
無線タグとは、非接触型の記憶装置であり、通常アンテナとＩＣチップを有する。無線タグは計算機能を持っていても良く、ＲＦＩＤ（Ｒａｄｉｏ Ｆｒｅｑｕｅｎｃｙ Ｉｄｅｎｔｉｆｉｃａｔｉｏｎ）とも呼ばれる（コビキタス機能）。
無線タグリーダライタとは、無線タグを読み込み又は書き込み又はその両方を行う装置をさす。
【００１３】
図２は登録用通信端末１０１から受信した遺失物に関する情報を遺失物管理サーバ１０６が管理ＤＢ１０７に登録する手順のフローチャートである。遺失物に関する情報は拾得された駅又は施設又は登録センタに設けられた登録用通信端末１０１を用いて管理ＤＢに登録される。
【００１４】
ステップＳ２０１において、遺失物管理サーバ１０６は認証サーバ１０２から認証に成功した旨の信号を受信したかループして監視する。受信していなければステップＳ２０１を実行する。受信した場合にはステップＳ２０２に進む。
【００１５】
ステップＳ２０２において、遺失物管理サーバ１０６は登録用通信端末１０１から遺失物データを受信する。
【００１６】
次に、ステップＳ２０３において、遺失物管理サーバ１０６は受信した遺失物データを管理ＤＢ１０７に登録する。
【００１７】
次に、ステップＳ２０４において、遺失物管理サーバ１０６は通信回線網１０５を介して警察遺失物サーバ１０４に入力された遺失物に関する情報を送信し、または前記遺失物に関する情報をメールにて送信する。その後ステップＳ２０１に戻る。メールにて送信する場合はフォーマットを予め設定しておくことにより、警察においては受信したメールを警察遺失物サーバ１０４により直接読み込み、処理するように構成することもできる。
【００１８】
図３は保管倉庫に設けられた遺失物保管サーバ１１３が遺失物に付した無線タグによって保管に関する情報を管理する手順のフローチャートである。遺失物は拾得された後一定期間拾得場所にて保管されるが、その後は保管庫にて一括保管される。
【００１９】
ステップＳ３０１において、遺失物管理サーバ１０６は認証サーバ１０２から認証に成功した旨の信号を受信したかループして監視する。受信していなければステップＳ３０１を実行する。受信した場合にはステップＳ３０２に進む。
【００２０】
ステップＳ３０２において、遺失物保管サーバ１１３は遺失物ＩＤをキーに通信回線網１０５を介して管理ＤＢ１０７を検索する。
【００２１】
次にステップＳ３０３において、遺失物保管サーバ１１３は無線タグリーダライタにより遺失物に付された無線タグに遺失物ＩＤを書き込む。
【００２２】
次にステップＳ３０４において、遺失物保管サーバ１１３は通信回線網１０５を介して管理ＤＢに保管庫における保管場所を格納する。
【００２３】
図４は遺失物返却窓口における返却用通信端末１１１の返却手順のフローチャートである。保管庫に保管された遺失物の返却を受ける場合には、予め返却の可否の確認を警察又は遺失物保管者の確認を受け、管理ＤＢに登録しておく。返却は返却を受けるものの希望する返却窓口、例えば返却用通信端末１１１が設置されたコンビニエンスストアにおいて受けることができる。
【００２４】
ステップＳ４０１において、返却用通信端末１１１は接続された無線タグリーダライタにより遺失物に付された無線タグから遺失物ＩＤを読み込む。
【００２５】
次にステップＳ４０２において、返却用通信端末１１１は読み込んだ遺失物ＩＤをキーに通信回線網１０５を介して管理ＤＢ１０７を検索する。
【００２６】
次にステップＳ４０３において、返却用通信端末１１１は管理ＤＢ１０７から読み込んだデータについて、返却可能であるかを判定する。返却可能ではない場合には処理を終了する。返却可能である場合にはステップＳ４０４に進む。
【００２７】
ステップＳ４０４において、返却用通信端末１１１は通信回線網１０５を介して管理ＤＢ１０７に返却日時及び返却場所などの返却データを格納し、処理を終了する。
【００２８】
本実施形態の遺失物管理システムにおいては、さらに物品を紛失した者がインターネットなどの通信回線網を利用して紛失した物品が管理サーバ１０７に登録されているか確認する装置を備える。
【００２９】
Ｗｅｂサーバ１０９は通信回線網１０５を介して遺失物管理サーバ１０６に接続している。Ｗｅｂサーバ１０９は接続してきた利用者の端末に、検索画面を表示するデータを送信する。利用者の端末から遺失物に関する情報が送信されてきた場合、Ｗｅｂサーバはそのデータを検索コマンドとともに遺失物管理サーバ１０６に送信する。遺失物管理サーバ１０６は受信したデータを基に管理ＤＢ１０７を検索し、該当するデータの候補のリストをＷｅｂサーバ１０９に送信する。Ｗｅｂサーバ１０９はこのリストを画面に表示するためのデータを作成し、利用者の端末に送信する。
【００３０】
以上のように、本発明の遺失物管理システムにおいては、遺失物に関する情報を管理するサーバが遺失物に関する情報をデータベースにて一元管理するとともに、警察の遺失物を管理するサーバに遺失物に関する情報を送信するため、遺失物を効率よく管理することができる。また、遺失物を保管する場所に設けられた遺失物の保管に関する情報を管理するサーバが遺失物の保管に関する情報の管理に無線タグを用いて行っているために、遺失物の追跡管理が可能となり、例えばコンビニエンスストアにて遺失物の返却を受けることが可能となる。さらに、遺失物を管理するデータベースをインターネットにより検索する装置を備えているため、利用者は容易に探している遺失物が遺失物を管理するデータベースに登録されているか確認することができる。
【産業上の利用可能性】
【００３１】
本発明の遺失物管理システムは情報をデータベースを用いて一元管理するとともに、入力した情報を警察のサーバに送信しているため、警察に情報を送る必要がある他の業務においても利用可能である。
【図面の簡単な説明】
【００３２】
【図１】遺失物管理システムの構成を表す概要図である。
【図２】遺失物管理サーバが管理ＤＢに情報を登録する手順のフローチャートである。
【図３】遺失物保管サーバが遺失物に付した無線タグによって保管に関する情報を管理する手順のフローチャートである。
【図４】遺失物返却窓口における返却用通信端末の返却手順のフローチャートである。
【符号の説明】
【００３３】
１０１：登録用通信端末、
１０２：認証サーバ、
１０３：認証データベース、
１０４：警察遺失物サーバ、
１０５：通信回線網、
１０６：遺失物管理サーバ、
１０７：管理ＤＢ、
１０８：メールサーバ、
１０９：Ｗｅｂサーバ、
１１０：端末、
１１１：返却用通信端末、
１１２：無線タグリーダライタ、
１１３：遺失物保管サーバ、
１１４：保管用端末、
１１５：無線タグリーダライタ。
【図１】
2008027088.tif 000003
【図２】
2008027088.tif 000004
【図３】
2008027088.tif 000005
【図４】
2008027088.tif 000006
【手続補正書】
【提出日】平成18年8月28日(2006.8.28)
【手続補正１】
【補正対象書類名】明細書
【補正対象項目名】００１２
【補正方法】変更
【補正の内容】
【００１２】
無線タグとは、非接触型の記憶装置であり、通常アンテナとＩＣチップを有する。無線タグは計算機能を持っていても良く、ＲＦＩＤ（Ｒａｄｉｏ
Ｆｒｅｑｕｅｎｃｙ Ｉｄｅｎｔｉｆｉｃａｔｉｏｎ）とも呼ばれる（ユビキタス機能）。
無線タグリーダライタとは、無線タグを読み込み又は書き込み又はその両方を行う装置をさす。